(57)【要約】【課題】  両側のピン部のいずれを表側又は裏側にしてもよい、簡単に使用することが可能なヘアピンを提供すること。【解決手段】  この発明のヘアピンは、線材を略Ｕ字状に曲げて第１ピン部１と第２ピン部２を形成するとともに、第１ピン部１と第２ピン部２の双方に複数の曲げ部３ａ，３ｂを設けることにより、第１ピン部１と第２ピン部２との間隔が狭くなった挟圧部４を複数有し、第１ピン部１と第２ピン部２のいずれを表側又は裏側にしても使用できるようにしたものとしている。【選択図】  図１
2005074053.tif 000002
【特許請求の範囲】
【請求項１】
線材を略Ｕ字状に曲げて第１ピン部（１）と第２ピン部（２）を形成するとともに、第１ピン部（１）と第２ピン部（２）の双方に複数の曲げ部（３ａ）（３ｂ）を設けることにより、第１ピン部（１）と第２ピン部（２）との間隔が狭くなった挟圧部（４）を複数有し、第１ピン部（１）と第２ピン部（２）のいずれを表側又は裏側にしても使用できるようにしていることを特徴とするヘアピン。
【請求項２】
第１ピン部（１）と第２ピン部（２）を対称な波形状に曲げて挟圧部（４）を形成した請求項１記載のヘアピン。
【発明の詳細な説明】
【技術分野】
【０００１】
この発明は、頭髪をとめるためのヘアピンに関するものである。
【背景技術】
【０００２】
従来、線材を略Ｕ字状に曲げて、頭皮に近い側に位置する裏側ピン部（下辺体）と、その反対側に位置する表側ピン部（上辺体）を形成するとともに、裏側ピン部を使用者の頭の形にそうように少し湾曲させたヘアピンがあった（例えば特許文献１の図１０参照）。また、この種のヘアピンにおいて、表側ピン部を波形状に曲げることにより、表側ピン部と裏側ピン部との間隔が狭くなった挟圧部４を複数設け、頭髪をしっかりと挟むようにし、頭髪がずれにくくなるようにしたものも存在した。
【０００３】
しかし、これらの従来のヘアピンは、表側ピン部、裏側ピン部のそれぞれの役割が決まっており、表裏反転させて使用することができなかった。そのため、ヘアピンを使用するときには、表裏を確認してからピン先を開く必要があるが、加齢とともに小さなヘアピンの表裏を目で確認することは難しくなり、また、細かい手作業を要するので、表裏を間違って取り付けることが多く、ヘアピンの使用を敬遠する人も多かった。
【特許文献１】特開平７−１１６０１５号公報
【発明の開示】
【発明が解決しようとする課題】
【０００４】
そこで、この発明は、両側のピン部のいずれを表側又は裏側にしてもよい、簡単に使用することが可能なヘアピンを提供することを課題とする。
【課題を解決するための手段】
【０００５】
この発明のヘアピンは、線材を略Ｕ字状に曲げて第１ピン部１と第２ピン部２を形成するとともに、第１ピン部１と第２ピン部２の双方に複数の曲げ部３ａ，３ｂを設けることにより、第１ピン部１と第２ピン部２との間隔が狭くなった挟圧部４を複数有し、第１ピン部１と第２ピン部２のいずれを表側又は裏側にしても使用できるようにしたものとしている。
【０００６】
また、第１ピン部１と第２ピン部２を対称な波形状に曲げて挟圧部４を形成したものとすることができる。
【発明の効果】
【０００７】
この発明のヘアピンは、上述のような構成を有しており、第１ピン部１と第２ピン部２のいずれを表側又は裏側にしてもよく、使用時に表裏の確認をする必要がないので、年齢等を問わず、簡単に使用することができる。
【発明を実施するための最良の形態】
【０００８】
以下、この発明の実施の形態を、図面を参照して説明する。
【０００９】
この発明のヘアピンは、線材を略Ｕ字状に曲げて第１ピン部１と第２ピン部２を形成するとともに、第１ピン部１と第２ピン部２の双方に複数の曲げ部３ａ，３ｂを設けることにより、第１ピン部１と第２ピン部２との間隔が狭くなった挟圧部４を複数有し、第１ピン部１と第２ピン部２のいずれを表側又は裏側にしても使用できるようにしたものである。
【００１０】
図１は、この発明の第１の実施形態のヘアピンの斜視図である。このヘアピンは、弾性を有するハガネ製の線材で形成されている。第１ピン部１と第２ピン部２は一端側のＵ字状部５でつながっており、他端側のピン先で、両ピン部１，２が外方に開いた状態とすることにより、指で容易にピン先を開くことができるようになっている。
【００１１】
線材の種類はハガネ製に限定されず、金属製、合成樹脂製等とすることができるが、弾性を有することが望ましい。また、線材の長さ、断面形状等も適宜でよい。さらに、各ピン部１，２の先端には、樹脂玉等の小球部６を設けることができる。
【００１２】
第１ピン部１と第２ピン部２は、それぞれ長尺方向に沿って、互いに対向する方向に湾曲する複数の曲げ部３ａ，３ｂを形成している。第１ピン部１と第２ピン部２は、どちらを裏側にした場合でも使用者の頭の形状になるべく適合させられるようにするため、いずれも全体としては湾曲した形状にならないようにしている。
【００１３】
この実施形態では、第１ピン部１と第２ピン部２は対称な波形状に曲げられている。曲げ部３ａ，３ｂの数はそれぞれ４つとしているが、適宜変更して実施することができる。
【００１４】
挟圧部４は、両ピン部１，２のそれぞれの対向する曲げ部３ａ，３ｂが近接する部分である。この実施形態では、挟圧部４において第１ピン部１と第２ピン部２とが接触するようにしているが、少し間隔を有するようにしてもよい。
【００１５】
このヘアピンを使用するには、従来のヘアピンと同様に、まず両ピン部１，２の先端を指で開く必要があるが、第１ピン部１と第２ピン部２とに表裏の区別がないため、いちいち第１ピン部１と第２ピン部２を目で見て表裏の確認をする必要がなく、手にとってそのまま頭髪に取り付けることが可能である。
【００１６】
すなわち、使用者は、両ピン部１，２の先端を開き、第１ピン部１と第２ピン部２のいずれかで頭髪を掬い、両ピン部１，２の間に頭髪を挟みこめばよい。このヘアピンは、各挟圧部４で頭髪をしっかり挟みこむとともに、各挟圧部４間の隙間には、多量の頭髪を挟むことができる。
【００１７】
また、この第１の実施形態のヘアピンは、第１ピン部１と第２ピン部２が対称な形状であるため、表裏の区別が全くなく、いずれを表側にして取り付けた場合でも、外観も取り付け状態も相違がない。
【００１８】
各ピン部１，２の形状は、第１の実施形態のような対称な波形状に限定されず、適宜変形したものとして実施することができ、例えば、両ピン部１，２の長さが異なるものとしたり、下記第２、第３の実施形態のような、非対称な形状にしたりすることも可能である
図２は、この発明の第２の実施形態のヘアピンの斜視図である。このヘアピンは、第１ピン部１の波形の曲げの大きさを、第２ピン部２のものより大きくしたものである。その他、素材等の構成は第１の実施形態と同様である。
【００１９】
図３は、この発明の第３の実施形態のヘアピンの斜視図である。このヘアピンは、第２ピン部２を、波形ではなく基本形状を直線状とし、挟圧部４において、第１ピン部１の曲げ部３ａに対向する凸状の曲げ部３ｂを形成したものである。その他、素材等の構成は第１の実施形態と同様である。
【００２０】
第２、第３の実施形態のヘアピンは、第１ピン部１と第２ピン部２のいずれを表側にするかによって外観や取り付け状態に若干の相違が生じるが、第１の実施形態と同様にして使用することができる。
【産業上の利用可能性】
【００２１】
このヘアピンは、従来のヘアピンに代わるものとして生産、利用することが可能である。
【図面の簡単な説明】
【００２２】
【図１】この発明の第１の実施形態のヘアピンの斜視図。
【図２】この発明の第２の実施形態のヘアピンの斜視図。
【図３】この発明の第３の実施形態のヘアピンの斜視図。
【符号の説明】
【００２３】
１  第１ピン部
２  第２ピン部
３ａ，３ｂ  曲げ部
４  挟圧部
【図１】
2005074053.tif 000003
【図２】
2005074053.tif 000004
【図３】
2005074053.tif 000005